(57)【要約】【課題】解決しようとする問題点は、テークバックでコッキングが完了した時点でクラブヘッドのフエース面ががスクエアになっているか、ダウンスイングでクラブ軌道がスイングブレーンのオンラインに乗っているか、クラブの軌道の軌跡が自身で目視確認が出来難い点である。  【解決手段】本考案は、ゴルフスイング練習用クラブシャフトと、このクラブシャフトの先端に装着されると共に、テークバックのコッキング状態時に於いて、ヘッドフェース面の向きと垂直になる位置に設定したガイド盤と、プレーヤー側面に対面する位置に一角が３０度の直角三角形を成し、且つヘッドのフェース面を目視確認する線とする長辺を有する三角面部とを備えたことを特徴とするゴルフ用オンライン軌道スイング練習具。【選択図】図１
0003122262.tif 000002
【実用新案登録請求の範囲】
【請求項１】
ゴルフスイング練習用クラブシャフトと、このクラブシャフトの先端に装着されると共に、テークバックのコッキング状態時に於いて、ヘッドフェース面の向きと垂直になる位置に設定したガイド盤と、プレーヤー側面に対面する位置に一角が３０度の直角三角形を成し、且つヘッドのフェース面を目視確認する線とする長辺を有する三角面部とを備えたことを特徴とするゴルフ用オンライン軌道スイング練習具。
【請求項２】
ゴルフスイング練習用クラブシャフトと、このクラブシャフトの先端に装着されると共に、ヘッドフェース面の向きと垂直になる位置に設定したガイド盤に、４分の１の円弧を描くオンラインアームを備えことを特徴とする請求項１記載のゴルフ用オンライン軌道スイング練習具。
【考案の詳細な説明】
【技術分野】
【０００１】
本考案は、テークバックのコッキング完了時に於いて、クラブヘッドをスクエアフェースにし、而もダウンスイングの切り返し時にクラブ軌道をスイングブレーンのオンラインに乗せることに関するものである。
【背景技術】
【０００２】
シャフトに小型ライトを取り付け見えやすくしたもの、ヘッドに残像形成体を取り付けたものはあるが、実用上不十分であった。更にクラブ軌道をスイングブレーンに乗せるため大きな器具はあるが、簡易なクラブ軌道修正するものはない。
【０００３】
テークバックの初期状態に於いて、クラブヘッドを真後ろに３０cm以上引くことが必要条件とされる。又、コッキング完了状態でヘッドがスクエアフェースになっていること、即ち、その状態でフェース面が前傾姿勢の傾きと平行になっていることが理想とされる。更に、ダウンスイングの切り返しに於いて、クラブ軌道をスイングブレーンに乗せるため軌道修正することが必須事項とされる等、自分自身で目視確認が出来難いものであった。
【特許文献１】特開２００２−３４０１４
【特許文献２】実開平５−３５１７１
【特許文献３】実開平７−３４８６８
【特許文献４】特開平７−３２８１６５
【特許文献５】特開２００６−２５８８２
【特許文献６】特開２００５−２１８７８４
【非特許文献１】SWINGの核心  内藤雄士  新星出版社
【考案の開示】
【考案が解決しようとする課題】
【０００４】
解決しようとする問題点は、テークバックでコッキングが完了した状態で、クラブヘッドのフエース面がスクエアになっているか、更にダウンスイングの切り返しに於いて、クラブ軌道がスイングブレーンに乗っているかどうか、クラブの軌道の軌跡が自身で目視確認が出来難い点である。
【課題を解決するための手段】
【０００５】
本考案は、クラブヘッドのフエース面がスクエアになっているかを確認する為に、テークバックでコッキングが完了した状態でヘッドがスクエアフェースになっているかを確認する目視認識する線と形を有し、而もヘッドフェース面の向きと垂直になる位置に設定したガイド盤に、一角が３０度の直角三角形を有した三角面部とでなした。
更にバックのトップでスイングブレーンのオンラインに乗っているか確認する為に、４分１の円弧を描く伸縮自在のスライド式の構造で先端にオンライン確認点を備えたオンラインアームをヘッドフェース面の向きと垂直になる位置に設定したガイド盤に備えたものである。即ち、ヘッドフェースをスクエアに合わせることが出来る三角面部の目視確認の線と、ダウンスイングでクラブ軌道がスイングブレーンのオンラインに乗るように誘導する４分の１の円弧を描くオンラインアームを備えことを最も主要な特徴とする。
【考案の効果】
【０００６】
請求項１により、テークバックのコッキング完了状態に於いて、ヘッドのフェース面を目視確認する線と形を有し、而もヘッドフェース面の向きと垂直になる位置に設定したガイド盤に、一角が３０度の直角三角形を有し、その長辺を目視確認線とする三角面部を取り付けたことで、目視確認線が水平になればヘッドがスクエアフェースになったことが確認出来る。三角面部の材質は、強靱な強化した軽量のスチール、アルミニューム、プラスチックス、紙、木材を使用し、寸法は直角と角度３０度で挟む辺の長さを６cmとした直角三角形で構成し、軽量化の為、中空にしてもよい。尚、形状及び材質と寸法は、前記使用条件に合うものであれば、その限りではない。
請求項２により、クラブシャフトの先端にヘッドフェース面の向きと垂直になる位置に設定したガイド盤に、４分の１の円弧を描くオンラインアームを備えたことにより、バックのトップでは、その先端は、プレーヤーの左のお尻に接触するので、クラブ軌道がスイングブレーンのオンラインに乗っていることが自分自身で確認出来るのである。オンラインアームは、伸縮自在にして扱い易くし、軽量でしかも強靱・柔軟性があること、特に円弧を描く形に耐える強靱さが必要であり、更に伸縮自在のスライド式の収納ができる柔軟性のある強化した軽量のアルミニューム・金属・プラスチックスを使用し、寸法は全長を１２０cm、円弧の半径はクラブの長さと同じでよく、形状は薄板材、管材を使用した。尚、スライド式の指し棒や傘の骨及び巻き尺の機能と形状を取り入れることなど、形状及び材質と寸法は、前記使用条件に合うものであれば、その限りではない。
【考案を実施するための最良の形態】
【０００７】
以下本考案の実施の形態を示す図面に基づき説明する。
図１は本考案練習具の実施例１の正面図を示し、クラブシャフト３の先端部に、テークバックのコッキング完了状態に於いて、ヘッドのフェース面を目視確認線A-Bを有する三角面部１をヘッドフェース面の向きと垂直になる位置に設定したガイド盤２に設置した。この目視確認線A-Bが水平になれば、ヘッドのフェース面が背骨の前傾姿勢傾斜の線と平行になっている。
図２は本考案練習具の実施例２の正面図を示し、クラブシャフト３の先端に取り付けられたヘッドフェース面の向きと垂直になる位置に設定したガイド盤２に、４分の１の円弧を描くオンラインアーム５を取り付けたので、バックのトップでは、その先端のオンライン確認点６は、トップスイングで、プレーヤーの左のお尻に接触するまで到達することを示す。
図３は三角面部の正面図を示し、三角面部１は、一角が３０度の直角三角形ABCとし、A一Bをフェース面の目視確認線７としたたことを示す。
図４はオンラインアームの正面図を示し、ヘッドフェース面の向きと垂直になる位置に設定したガイド盤２にオンラインアーム５を設置したことを示す。
図５はオンラインアームのスライド収納図を示し、４分の１の円弧を描くオンラインアーム５を、持ち運びと保管をし易くするために、いくつかに分割し収納出来る形状にしたことにより、伸縮自在のスライド式として収納したことを示す。
図６は背骨の前傾姿勢傾斜の線と平行なヘッドのフェース面の断面図を示し、背骨の前傾姿勢傾斜の線８と平行な線９、及びヘッドのフェース面１０の断面図が平行であることを示す。
図７はテークバックでコッキングが完了した状態図を示し、テークバックでコッキングが完了時にクラブシャフト３がコッキングにより点線に示すように移動し、シャフトが地面に平行になった状態での背骨の前傾姿勢傾斜平行線９とヘッドフェース面が平行となって目視確認線A-Bが水平となり、、４分の１の円弧を描くオンラインアーム１の先端のオンライン到達確認点５が背骨の後ろの位置に達していることを示す。
図８はオンライン軌道図を示し、クラブシャフト３をバックのトップで切り返しする時点で、点線で示す位置まで下ろす。即ち、スイングブレーンに乗せる為に下りたクラブシャフトの位置１１まで下ろしてからダウンスイングすることにより、クラブシャフトがスイングブレーンのオンライン軌道１２に乗ることを示す。
図９は本考案練習具の使用例でプレーヤーの上空から見た軌道図を示し、前後左右の中心点で、プレーヤーが構えたシャフト３は、コッキングが完了時に点線に示すように右横に移動し、更にテークバックのトップでは、スイングブレーンのオンライン軌道１２の点線上を通り、オンラインアーム５の先端のオンライン到達確認点６は、プレーヤーの左のお尻に接触するところまで達していることを示す。
【産業上の利用可能性】
【０００８】
ゴルフのスイング練習では、インパクト時にヘッドのフェース面でボールをスクエアに捉え、ボールを真っ直ぐ飛ばす練習効果が期待されゴルフ場の練習用途にも適用できる。
【０００９】
次に  本考案の練習具の使用状態を説明する。
背骨の前傾姿勢に構えたテークバックの初動時に於いて、クラブヘッドを真後ろに３０cm以上引きながらコッキングして右腰の真横にもっていき、コックの完了状態で、ヘッドフェース面がスクエアになったかどうかを見るには、右腰の真横に来た三角面部１の目視確認線A一Bが水平になったかどうかを見ればよい。時計に例をとれば、構えた位置から右横を見れば、背骨の前傾姿勢傾斜が１１時の傾きであれば、三角面部付きガイド盤２の傾きは２時の位置を指すように設定されている。即ち、三角面部付きガイド盤２が時計の２時の傾きをするので、目視確認線A一Bが水平になるよう目視確認しつつ練習出来る。
更に進めて、バックのトップにもっていき、ダウンスイングの切り返しの時、クラブをスイングブレーンに乗せる為にはバックのトップでクラブシャフトの位置を修正して、スイングブレーンのオンライン軌道をなぞるようにクラブを振り抜く。
即ち、ダウンスイングに於いて、オンラインアーム５は、スイングブレーンのオンラインを誘導する線と形とを兼ね備えており、クラブ軌道がオンライン軌道１２に乗ったかどうかは、バックのトップで、その先端のオンライン到達確認点６が、プレーヤーの左のお尻に接触するようにすれば良いのである。
先ず練習の初めに、右手で本考案の練習具のグリップを持ち、バックのトップにもっていき、左のお尻辺りに来た先端のオンライン到達確認点を左手の手の平で支えてみることで、スイングブレーンのオンラインの体感を味わうことである。そして右手と左手で引っ張り合いすることを何回も繰り返してみることで、４分の１の円弧を描くオンラインアームが体に巻き付く体感を得るのである。どの辺りにスイングブレーンが在るのかを知る。
【図面の簡単な説明】
【００１０】
【図１】本考案練習具の実施例１の正面図。
【図２】本考案練習具の実施例２の正面図。
【図３】三角面部の正面図
【図４】オンラインアームの正面図
【図５】オンラインアームのスライド収納図
【図６】背骨の前傾姿勢傾斜の線と平行なヘッドのフェース面の断面図。
【図７】テークバックでコッキングが完了した状態図。
【図８】オンライン軌道図。
【図９】本考案練習具の使用例をプレーヤーの上空から見た軌道図。
【符号の説明】
【００１１】
１  三角面部  
２  ガイド盤
３  シャフト
４  グリップ   
５  オンラインアーム
６  オンライン到達確認点
７  フエース面の目視確認の線
１  背骨の前傾姿勢傾斜の線
９  背骨の前傾姿勢傾斜の線に対して平行な線
１０  背骨の前傾姿勢傾斜の線に平行なヘッドのフェース面
１１  スイングブレーンに乗せる為に下りたクラブシャフトの位置
１２  スイングブレーンのオンライン軌道
A    三角面部の先端点
B    三角面部の先端点
C    三角面部の先端点
【図１】
0003122262.tif 000003
【図２】
0003122262.tif 000004
【図３】
0003122262.tif 000005
【図４】
0003122262.tif 000006
【図５】
0003122262.tif 000007
【図６】
0003122262.tif 000008
【図７】
0003122262.tif 000009
【図８】
0003122262.tif 000010
【図９】
0003122262.tif 000011